(57)【要約】【課題】  液晶表示装置に用いられる冷陰極管の発電回路を保護する遊技機を提供することを目的とする。【解決手段】  液晶パネル１７３と、液晶パネル１７３の背面側に設けられ液晶パネル用の照明手段１７６ａ、１７６ｂから出射される光を液晶パネル１７３へ導く導光板１７４であって光の透過する光透過領域４０Ｌ、４０Ｃ、４０Ｒの形成された導光板１７４を有する液晶表示装置２７と；液晶表示装置の背面側で光透過領域に対向する位置に配置され、複数の識別情報が配列されたリール３Ｌ、３Ｃ、３Ｒを複数個並設した変動表示装置と；光透過領域の側の近傍に設けられた発光手段２７６ａ、２７６ｂと；発光手段２７６ａ、２７６ｂを駆動する駆動部３００ａ、３００ｂと；駆動部を覆う保護部材であって、駆動部に対して所定の距離以上離間する外形を有する保護部材２９０ａ、２９０ｂとを備える。【選択図】  図４
2004358206.tif 000002
【特許請求の範囲】
【請求項１】
液晶パネルと、前記液晶パネルの背面側に設けられ前記液晶パネル用の照明手段から出射される光を前記液晶パネルへ導く導光板であって光の透過する光透過領域の形成された導光板を有する液晶表示装置と；
前記液晶表示装置の背面側で前記光透過領域に対向する位置に配置され、複数の識別情報が配列されたリールを複数個並設した変動表示装置と；
前記光透過領域の前記リール側の近傍に設けられた発光手段と；
前記発光手段を駆動する駆動部と；
前記駆動部を覆う保護部材であって、前記駆動部に対して所定の距離以上離間する外形を有する保護部材とを備える；
遊技機。
【請求項２】
前記保護部材は、前記発光手段の発光部を覆い、前記発光部からの光を拡散させるように構成された、請求項１に記載の遊技機。
【請求項３】
前記保護部材は、前記発光部からの光を拡散させる形状に形成された、請求項２に記載の遊技機。
【請求項４】
前記保護部材は、前記発光部からの光を拡散させる材料で形成された、請求項２に記載の遊技機。
【発明の詳細な説明】
【技術分野】
【０００１】
本発明は、リールを複数配列して構成した変動表示装置とは別に、液晶表示装置を備えた、パチスロ機、パチンコ機その他の遊技機に関する。
【背景技術】
【０００２】
例えば、パチスロ機は、正面の表示窓内に複数の図柄を変動表示する回転リールを複数配列して構成した機械的変動表示装置、或いはリール上の図柄を画面に表示する電気的変動表示装置を有する。遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にメダル、又はコイン等の遊技媒体を払出すことで遊技者に利益を付与する。
【０００３】
また、現在主流の機種においては、有効化された入賞ライン（以下「有効ライン」という）に沿って所定の図柄の組合せが並び、メダル、コイン等が払出される入賞が成立するためには、内部的な抽選処理（以下「内部抽選」という）により役に当選（以下「内部当選」という）し、且つその内部当選した役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと内部当選役の入賞を成立させることができない。すなわち、停止操作をタイミングよく行う技術が要求される（「目押し」といわれる技術介入性の比重が高い）遊技機が現在の主流である。
【０００４】
また、遊技操作の技量の低い遊技者であっても興味を持って遊技を行うことができるように、遊技者の目押しに関する技量に基づいて、特定図柄の組合せを変動表示の停止時に有効ラインに沿って並ばせるために必要な図柄、あるいはメッセージを、機械的変動表示装置とは別に設けられる液晶表示装置に表示する遊技機が提供されている（特許文献１、参照）。
【０００５】
このような従来の遊技機には、遊技の入賞形態に応じた図柄組合せに関してリールを用いて各列に停止表示する機械的変動表示装置とは別に、ゲームの演出効果を高めるために、正面から見てリールの前面に配設され、リール表示窓の領域外から領域内に至る画像を表示し、リール図柄と重ねて表示する液晶表示装置が備わっている。
【０００６】
このとき用いられる液晶表示装置は、バックライト用光源からの光を液晶パネルに導くために光偏向パターンが施された導光板のリール対向部位（以下、リール窓部という）が切り抜かれているため、導光板に光偏向パターンを施すことのできないリール窓部が暗くならないように、補助光としてリール窓部上下（他に、周囲でもよい。）に冷陰極管が配置されている。
【特許文献１】特開２００２−１４３３７７号公報（段落００５３、図４、参照）
【発明の開示】
【発明が解決しようとする課題】
【０００７】
以上のような従来の遊技機では、上記した冷陰極管の発電回路として用いられるインバータ回路は、物理的に破壊されないように保護ケースに収納されているが、その保護ケースは最小限の大きさとなっているため、物理的な構成部品の保護としては有効であるが、着磁ドライバー等の接触、あるいは接近による磁力からの影響を保護することができない場合があった。
【０００８】
本発明の目的は、液晶表示装置に用いられる冷陰極管の発電回路を保護する遊技機を提供することを目的とする。
【０００９】
また、発光の拡散を共通の保護部材で実現してリール照明用としても機能する遊技機を提供することも目的とする。
【課題を解決するための手段】
【００１０】
上記目的を達成するために、請求項１にかかる発明による遊技機は、例えば、図１、図３、および図４に示されるように、液晶パネル１７３と、液晶パネル１７３の背面側に設けられ液晶パネル用の照明手段１７６ａ、１７６ｂから出射される光を液晶パネル１７３へ導く導光板１７４であって光の透過する光透過領域４０Ｌ、４０Ｃ、４０Ｒの形成された導光板１７４を有する液晶表示装置２７と；液晶表示装置２７の背面側で光透過領域４０Ｌ、４０Ｃ、４０Ｒに対向する位置に配置され、複数の識別情報が配列されたリール３Ｌ、３Ｃ、３Ｒを複数個並設した変動表示装置と；光透過領域４０Ｌ、４０Ｃ、４０Ｒのリール３Ｌ、３Ｃ、３Ｒ側の近傍に設けられた発光手段２７６ａ、２７６ｂと；発光手段２７６ａ、２７６ｂを駆動する駆動部３００ａ、３００ｂと；駆動部３００ａ、３００ｂを覆う保護部材であって、駆動部３００ａ、３００ｂに対して所定の距離以上離間する外形を有する保護部材２９０ａ、２９０ｂとを備える。
【００１１】
このように構成すると、保護部材が発光手段を駆動する駆動部を覆い、駆動部に対して所定の距離以上離間するので、駆動部を外部からの接触や磁力から保護する遊技機を提供することができる。
【００１２】
また、請求項２に記載のように、請求項１に記載の遊技機は、例えば、図６に示されるように、保護部材２９０ａ、２９０ｂは、発光手段２７６ａ、２７６ｂの発光部を覆い、発光部からの光を拡散させるように構成する。
【００１３】
また、請求項３に記載のように、請求項２に記載の遊技機は、例えば、図６に示されるように、保護部材２９０ａ、２９０ｂは、発光部からの光を拡散させる形状に形成する。
【００１４】
また、請求項４に記載のように、請求項２に記載の遊技機は、例えば、図６に示されるように、保護部材２９０ａ、２９０ｂは、発光部からの光を拡散させる材料で形成する。
【００１５】
このように構成すると、発光の拡散を保護部材で実現してリール照明用としても機能するので、遊技者に対してリールを明るく見せることができ、迫力の在る演出やソフトな感覚でリールを演出することができる。
【発明の効果】
【００１６】
以上説明したように本発明によれば、液晶表示装置に用いられる発光手段の駆動部を保護する遊技機を提供することができる。
【発明を実施するための最良の形態】
【００１７】
以下、本発明の実施の形態を図示例と共に説明する。図１から図７は、発明を実施する形態の一例であって、図中、図と同一または類似の符号を付した部分は同一物または相当物を表わし、重複した説明は省略する。
【００１８】
図１は、本発明の実施の形態の遊技機１の外観を示す正面斜視図である。遊技機１は、いわゆる「パチスロ機」である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００１９】
遊技機１の全体を形成しているキャビネット２の正面には、略垂直面としてのパネル表示部２ａが形成され、その中央には縦長矩形の各リール表示窓４Ｌ、４Ｃ、４Ｒが設けられる。各リール表示窓４Ｌ、４Ｃ、４Ｒには、入賞ラインとして水平方向にトップライン８ｂ、センターライン８ｃ及びボトムライン８ｄ、斜め方向にクロスダウンライン８ａ及びクロスアップライン８ｅが設けられている。これらの入賞ラインは、後述の１−ＢＥＴボタン１１、２−ＢＥＴボタン１２、最大ＢＥＴボタン１３を操作すること、或いはメダル投入口２２にメダルを投入することにより、それぞれ１本、３本、５本が有効化される。どの入賞ラインが有効化されたかは、後で説明するＢＥＴランプ９ａ、９ｂ、９ｃの点灯で表示される。ここで、入賞ライン８ａから８ｅは、役の入賞の成否に関わる。
【００２０】
すなわち、所定の役（例えば、後述の「チェリーの小役」）に対応する一の図柄（例えば、後述の“チェリー図柄９７”）がいずれかの有効化された入賞ラインに対応する所定の位置（例えば、後述のＢＥＴ数が“３”であれば左リール表示窓４Ｌ内の位置）に停止表示されること、又は所定の役に対応する図柄組合せを構成する図柄がいずれかの有効化された入賞ラインに対応する所定の位置に並んで停止表示されることにより、所定の役の入賞が成立することとなる。
【００２１】
キャビネット２の内部には、各々の外周面に複数種類の図柄によって構成される図柄列が描かれた３個のリール３Ｌ、３Ｃ、３Ｒが回転自在に横一列に設けられ、変動表示手段を形成している。各リールの図柄はリール表示窓４Ｌ、４Ｃ、４Ｒを通して遊技者が観察できる。各リールは、定速回転時の回転速度として例えば、毎分８０回転で回転する。
【００２２】
各リール表示窓４Ｌ、４Ｃ、４Ｒの左側には、１−ＢＥＴランプ９ａ、２−ＢＥＴランプ９ｂ、最大ＢＥＴランプ９ｃ、クレジット表示部１９が設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。ここで、本実施の形態では、一のゲームは、全てのリールが停止したときに終了する。１−ＢＥＴランプ９ａは、ＢＥＴ数が“１”で１本の入賞ラインが有効化されたときに点灯する。２−ＢＥＴランプ９ｂは、ＢＥＴ数が“２”で３本の入賞ラインが有効化されたときに点灯する。最大ＢＥＴランプ９ｃは、ＢＥＴ数が“３”で全て（５本）の入賞ラインが有効化されたときに点灯する。クレジット表示部１９は、７セグメントＬＥＤで構成し、貯留されているメダルの枚数を表示する。
【００２３】
各リール表示窓４Ｌ、４Ｃ、４Ｒの右側には、告知ランプ（いわゆる告知ランプ）１７及び払出表示部１８が設けられる。告知ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下「ボーナス」という。払出表示部１８は、７セグメントＬＥＤで構成し、入賞成立時のメダルの払出枚数を表示する。
【００２４】
パネル表示部２ａの右側上部には、ボーナス遊技情報表示部２０が設けられる。ボーナス遊技情報表示部２０は、７セグメントＬＥＤで構成し、後述するＢＢ一般遊技状態におけるゲームの回数等を表示する。リール表示窓４Ｌ、４Ｃ、４Ｒの下方には水平面の台座部１０が形成され、その台座部１０とリール表示窓４Ｌ、４Ｃ、４Ｒとの間には液晶表示装置２７が設けられている。この液晶表示装置２７の略全面には、遊技に関連する情報等が表示される。
【００２５】
ここで、ＢＢ、ＲＢとは以下のようなものである。現在主流の機種は、複数種類の入賞態様を有する。特に、ある役の入賞が成立したときは、１回のメダルの払出しに終わらず、所定時間、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」と略記する。
【００２６】
液晶表示装置２７の右側にはメダル投入口２２が設けられ、液晶表示装置２７の左側には、１−ＢＥＴボタン１１、２−ＢＥＴボタン１２、及び最大ＢＥＴボタン１３が設けられる。１−ＢＥＴボタン１１は、１回の押し操作により、クレジットされているメダルのうちの１枚がゲームに賭けられ、２−ＢＥＴボタン１２は、１回の押し操作により、クレジットされているメダルのうちの２枚がゲームに賭けられ、最大ＢＥＴボタン１３は、１回のゲームに賭けることが可能な最大枚数のメダルが賭けられる。これらのＢＥＴスイッチを操作することで、前述のとおり、所定の入賞ラインが有効化される。
【００２７】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、リール表示窓４Ｌ、４Ｃ、４Ｒ内での図柄の変動表示を開始するためのスタートレバー６が所定の角度範囲で回動自在に取り付けられている。
【００２８】
キャビネット２の上方の左右には、スピーカ２１Ｌ、２１Ｒが設けられ、その２台のスピーカ２１Ｌ、２１Ｒの間には、入賞図柄の組合せ及びメダルの配当枚数等を表示する配当表パネル２３が設けられている。台座部１０の前面部中央で、液晶表示装置２７の下方位置には、３個のリール３Ｌ、３Ｃ、３Ｒの回転をそれぞれ停止させるための３個のリール停止ボタン（停止操作手段）７Ｌ、７Ｃ、７Ｒが設けられている。
【００２９】
なお、遊技機１は、停止ボタン７Ｌ、７Ｃ、７Ｒを設けない構成とすることもできる。かかる場合、遊技者によるスタートレバー６の操作に応じて変動表示を開始する各リール３Ｌ、３Ｃ、３Ｒは、当該変動表示の開始から所定の時間経過後、自動的に順次停止する。
【００３０】
また、リール停止ボタン７Ｒの右側には、液晶表示装置２７に表示するメニュー画面の切替え手段としてのスクロールスイッチ２００を設け、上スクロールスイッチ２００ａ及び下スクロールスイッチ２００ｂによりメニューを切替えることができる。
【００３１】
図２は、本実施の形態に用いる各リール３Ｌ、３Ｃ、３Ｒに表わされた複数種類の図柄が２１個配列された図柄列を示している。各図柄には“００”から“２０”のコードナンバーが付され、データテーブルとして後述するＲＯＭ３２（図３、参照）に格納（記憶）されている。各リール３Ｌ、３Ｃ、３Ｒ上には、“赤７図柄９１”、“青７図柄９２”、“ＢＡＲ図柄９３”、“ベル図柄９４”、“プラム図柄９５”、“Ｒｅｐｌａｙ図柄９６”及び“チェリー図柄９７”の図柄で構成される図柄列が表わされている。各リール３Ｌ、３Ｃ、３Ｒは、図柄列が図中左に示す下矢印方向に移動するように回転駆動される。
【００３２】
次に、図３は、液晶表示装置２７の概略構成を示す分解斜視図である。液晶表示装置２７は、前面に設けた第１層目の保護ガラス１７１の裏面に、第２層目の表示板１７２を配置し、この表示板１７２の裏面に第３層目の液晶パネル１７３を配置し、この液晶パネル１７３の裏面に第４層目の導光板１７４を配置し、この導光板１７４の裏面に第５層目の反射フィルム１７５を配置することで、５層構造のパネルで構成されている。さらに、液晶表示装置２７は、液晶パネル駆動用のＩＣを搭載したテーブルキャリアパッケージ（ＴＣＰ）からなり液晶パネル１７３の端子部に接続したフレキシブル基板（図示せず）等を含んで構成されており、液晶表示装置２７は、各リール３Ｌ、３Ｃ、３Ｒとは、別体で所定の間隔をあけて、各リール３Ｌ、３Ｃ、３Ｒの前面に配設されている。
【００３３】
保護ガラス１７１及び表示板１７２は、透光性部材によって構成されている。保護ガラス１７１は、液晶パネル１７３を保護すること等を目的として設けられており、表示板１７２は、パネル表示部３９（図１、参照）に対応する領域には、画像が描かれている。なお、この図では、パネル表示部２ａに対応する表示板１７２の領域の裏側に配置される各種表示部及びメダル投入表示ランプ９ａから９ｃを動作させる電気回路を省略して図示している。
【００３４】
液晶パネル１７３は、薄膜トランジスタ層が形成されたガラス板などの透明な基板と、これに対向する透明な基板との間隙部に液晶を封入して形成されている。この液晶パネル１７３の表示モードは、ノーマリーホワイトに設定されている。ノーマリーホワイトとは、液晶を駆動していない状態で白表示、すなわち、表示面側に光が透過し、透過した光が外部から視認される構成である。ノーマリーホワイトに構成された液晶パネル１７３を採用することにより、液晶を駆動できない事態が生じた場合であっても、各リール表示窓４Ｌ、４Ｃ、４Ｒを通して、変動表示あるいは停止表示している各リール３Ｌ、３Ｃ、３Ｒ上に配置された図柄を視認することができ、遊技を継続することができる。
【００３５】
液晶パネル１７３と導光板１７４との間にはさらに不図示の拡散シートが配置されている。拡散シートは、導光板１７４の光透過領域としての窓部４０Ｌ、４０Ｃ、４０Ｒの透明度を低下させないように、窓部４０Ｌ、４０Ｃ、４０Ｒに対応する部位が切り抜かれているか、若しくは透明部材により形成されている。つまり、後方に位置する各リール３Ｌ、３Ｃ、３Ｒの視認性を高めるようになっている。
【００３６】
導光板１７４は、端面に配置された照明手段としての冷陰極管１７６ａ、１７６ｂから照射される光を液晶パネル１７３へ導き出すことで液晶パネル１７３を照明すべく、液晶パネル１７３の裏側に配設されており、例えば２ｃｍ程度の厚さを有するアクリル系樹脂などの導光機能を有する透光性部材によって構成されている。なお冷陰極管の代わりに蛍光ランプを用いることもできる。
【００３７】
冷陰極管１７６ａ、１７６ｂ（画面容量が大きい場合は奥行き方向に複数配置される）は、全ての波長の光を人の目に特定の色彩が目立たない割合で含む白色光源として構成されている。冷陰極管１７６ａは図中（鉛直方向に立てて配置された）導光板１７４の上端部に沿って、１７６ｂは図中導光板１７４の下端部に沿って、それぞれ配設されており、冷陰極管１７６ａ、１７６ｂの両端は不図示のランプホルダにより支持されている。この冷陰極管１７６ａ、１７６ｂは、液晶パネル１７３の領域のうち主として演出表示領域に対応する領域の照明手段として機能する。つまり、冷陰極管１７６ａ、１７６ｂは、導光板１７４に導入する光を発生する。
【００３８】
液晶画面を大きくすると、例えば１５インチから２０インチに画面容量を増やした場合、光量を維持するために発光手段である冷陰極管１７６ａ、１７６ｂを奥行き方向に、例えば１本から３本に増設する必要があり、また、増設した冷陰極管の分だけ導光板１７４も厚くする必要がある。
【００３９】
反射フィルム１７５は、例えば白色のポリエステルフイルムやアルミ薄膜に銀蒸着膜をスパッター形成したものが用いられ、導光板１７４に導入された光を導光板１７４の正面側、すなわち、液晶パネル１７３方向に向けて反射させる。この反射フィルム１７５は、反射領域１７７及び非反射領域としての各リール表示窓４Ｌ、４Ｃ、４Ｒにより構成されている。
【００４０】
各リール表示窓４Ｌ、４Ｃ、４Ｒは、リール表示窓４Ｌがリール３Ｌに、リール表示窓４Ｃがリール３Ｃに、リール表示窓４Ｒはリール３Ｒに、それぞれ対応しており、この部分が切り抜かれるか又は透明な材料で形成され入射した光を反射することなく透過させる透過表示部として形成されている。また、各リール３Ｌ、３Ｃ、３Ｒの回転が停止した場合に表示される図柄の各々の前方に位置し、各リール３Ｌ、３Ｃ、３Ｒとも、停止表示の際に上段、中段、下段に合わせて３種づつ図柄を表示できる大きさで設けられている。反射フィルム１７５の反射領域１７７は、入射した光を反射し、前面に配置されている液晶パネル１７３の領域のうち、主として演出表示領域に対応する領域の照明手段の一つとして機能する。この構成によれば、遊技者は、反射手段の透過表示部を通して各リール３Ｌ、３Ｃ、３Ｒの変動表示及び停止表示を視認し得るので、各リール３Ｌ、３Ｃ、３Ｒ及び液晶表示装置２７の表示態様により遊技を楽しむことができる。図４に、遊技機内部から見た各リール表示窓４Ｌ、４Ｃ、４Ｒ近傍の斜視図が示されている。反射フィルム１７５が切り抜かれた部位に対向して位置する不図示の窓部４０Ｌ、４０Ｃ、４０Ｒ（図３参照）は、バックライト効果が弱いため、バックライト用光源となる冷陰極管１７６ａ、１７６ｂとは別の、補助光源として窓部４０Ｌ、４０Ｃ、４０Ｒ及び各リール３Ｌ、３Ｃ、３Ｒ（図１参照）を照らす発光手段としての冷陰極管２７６ａ、２７６ｂが、各リール表示窓４Ｌ、４Ｃ、４Ｒの上下に配置されている。冷陰極管２７６ａ、２７６ｂは、反射フィルム１７５の裏面に鉛直方向に立てて配置された不図示のホルダー板に取り付けられており、よって窓部４０Ｌ、４０Ｃ、４０Ｒの近傍に配置されることとなる。ここで設置される冷陰極管２７６ａ、２７６ｂは、それぞれ発電回路である高周波トランスを備えた駆動部としてのインバータ基板３００ａ、３００ｂによって点灯される。そして、このインバータ基板３００ａ、３００ｂは、それぞれ保護部材としての保護ケース２９０ａ、２９０ｂによって所定のクリアランスを持たせて覆われている。なお、発光手段はリール表示窓４Ｌ、４Ｃ、４Ｒの上下に配置する構成に限定されず、リール表示窓４Ｌ、４Ｃ、４Ｒの周囲に配置することもできるのは勿論であり、冷陰極管の代わりに蛍光ランプを用いることもできる。
【００４１】
ここでは、リール表示窓４Ｌ、４Ｃ、４Ｒの上部に設置された保護ケース２９０ａは、冷陰極管２７６ａを及びインバータ基板３００ａを所定のクリアランスを持たせて覆い、リール表示窓４Ｌ、４Ｃ、４Ｒの下部に設置された保護ケース２９０ｂは、冷陰極管２７６ｂ及びインバータ基板３００ｂを所定のクリアランスを持たせて覆っている。なお、保護ケース２９０ａ、２９０ｂは、インバータ基板３００ａ、３００ｂもしくは、冷陰極管２７６ａ、２７６ｂの物理的な破壊を防ぐ他に、外部から磁力の影響を受けないように、着磁ドライバー等、想定される磁力の影響を回避できるように数センチメートルのクリアランスを持った部材が使用される。
【００４２】
このことにより、インバータ基板３００ａ、３００ｂ、特に、後述するコイルが外部からの磁力により破壊される不具合を未然に防ぐことができる。
【００４３】
図５は、インバータ基板の回路構成の一例を示すブロック図である。ここでは、外部からＡＣ電源３０１の供給を受けたインバータ基板３００ａ、あるいは３００ｂは、ブリッジ整流器３０２により直流に変換し、平滑コンデンサ３０３で平滑してインバータ回路３０４へ供給する。インバータ回路３０４は、制御回路３００（ＰＷＭ回路：Pulse Width Modulation）によってゲートに電圧が印加されることにより３相の交流に変換し、遮断スイッチ３０５を介して高周波トランス３０６に供給する。高周波トランス３０６で昇圧された電圧は、負荷となる冷陰極管２７６ａ、２７６ｂに供給され、点灯される。ここで、図示した電源は三
相交流を直流化してから、再度三相交流を供給する回路を例示したが、本発明は、三相交流電源に限定されず、単層（二相）交流を供給する回路にも適用できることは勿論である。要は、交流出力側に接続されたインダクションコイルを保護することができれば、如何なる手段も適用することができる。
【００４４】
なお、遮断スイッチ３０５は、商用電力系統４００が変動した場合の保護のために使用される。また、高周波トランス３０６は、閉磁型のトランスを用いることでコストダウンを図ることができる。さらに、冷陰極管２７６ａ、２７６ｂは、液晶画面の高容量化に伴い導光板１７４の厚みが増すことにより複数設置されることがあるため、その場合、インバータ回路３０４はそのための容量を持つことが要求される。
【００４５】
一方、高周波トランス３０６の出力は、位相比較回路３０７にも供給され、ここで、制御部３０８を介して遮断スイッチ３０５をコントロールする。また、高周波トランス３０６の出力はゼロクロス監視回路３０９で監視され、ここで監視されたゼロクロス（交流０Ｖ）回数はカウンタ３１０によってカウントされ、位相シフト回路３１１へ供給している。
【００４６】
ゼロクロス監視回路３０９はまた、ＰＬＬ（Phase Locked Loop）回路３１２にもゼロクロス信号を供給し、ＰＬＬ回路３１２で位相同期を取って生成されるクロック３１３を位相シフト回路３１１へ供給する。位相シフト回路３１１は、正弦波３１４を出力してＰＷＭ回路３１５を駆動し、ＰＷＭ回路３１５がインバータ回路３０４のゲートに電圧を印加することにより３相交流を出力することができる。
【００４７】
なお、平滑コンデンサ３０３出力は、ＤＣ−ＤＣコンバータ３１６にも供給され、ＤＣ−ＤＣコンバータ３１６は、２００Ｖから１２Ｖまで降圧した直流出力をバッテリ３１７へ供給して充電する。
【００４８】
図６に示されるように、保護ケース２９０ａ、２９０ｂを、インバータ基板３００ａ、３００ｂのみならず、冷陰極管２７６ａ、２７６ｂをも完全に覆う形状とし、かつ、保護ケース２９０ａ、２９０ｂに、カット形状を取り入れ、あるいは白濁処理して拡散効果をもたせ、リール３Ｌ、３Ｃ、３Ｒ（図１参照）への照射が拡散光となるよう加工している。図６（ａ）は、その斜視図、図６（ｂ）はそのＡ−Ａ’断面を示す。
【００４９】
このことにより、インバータ基板３００ａ、３００ｂを磁力から保護する他に、冷陰極管２７６ａ、２７６ｂの発光を拡散することができ、リール３Ｌ、３Ｃ、３Ｒの照明として機能しながら、リール３Ｌ、３Ｃ、３Ｒへの冷陰極管２７６ａ、２７６ｂによる映り込みを防ぐことができる。
【００５０】
図４に示す円筒形もしくは直方体形状をした冷陰極管２７６ａ、２７６ｂの保護ケース２９０ａ、２９０ｂと比べて、遊技者からはリール上に反射した冷陰極管が認識されにくく、さらに均一な照明を得ることができる。
【００５１】
図７は、本発明の実施の形態である遊技機の演出態様一例を示す図である。各リールの停止順序を遊技者に知らせる停止報知の表示態様を示している。遊技機の液晶表示装置２７は、前述のように前面から順に、保護ガラス、表示板、液晶パネル、導光板および反射フィルムを配置した構造のパネルで構成することができる。
【００５２】
図７に示すように、液晶表示装置２７の底部には図中左から順に仮想の光源４３Ｌ、４３Ｃ、４３Ｒが配置されている。仮想の光源４３Ｌからは、透過表示部としてのサーチライト画像４４が配設されており、このサーチライト画像４４は、仮想の光源４３Ｌの上方に配設されているリール３Ｌを照射する画像として構成されている。サーチライト画像４４は、リール３Ｌのリール表示窓４Ｌ、４Ｃ、４Ｒの領域外から領域内に至る画像であり、当該表示領域内の部分の表示を透過させリール図柄と、重ねて表示することで、リール３Ｌの図柄を透過表示する。これにより、遊技者に対してリールの停止順序を報知し、遊技者のボタン操作を促すよう構成されている。
【００５３】
また、液晶表示装置２７のサーチライト画像４４以外の画像領域である非透過表示領域４５と、リール３Ｃ及びリール３Ｒのリール表示窓の表示領域と、を重ね合わすことで、変動表示中のリール３Ｃ及びリール３Ｒを視認することができないように構成されている。
【００５４】
このとき、サーチライト画像４４とリール表示窓４Ｌが重なった部分からリール３Ｌを見通すことができる。本実施の形態の構成によれば、図４、図６で示した保護ケース２９０ａ、２９０ｂによって冷陰極管２７６ａ、２７６ｂの発光を拡散することができ、リール３Ｌ、３Ｃ、３Ｒの照明として機能しながら、リール３Ｌ、３Ｃ、３Ｒへの冷陰極管２７６ａ、２７６ｂによる映り込みを防ぐことができ、美観を損ねることがなく、遊技者の遊技を妨げることもない。
【００５５】
更に、本実施の形態のようなパチスロ機の他、パチンコ遊技機等の他の遊技機にも本発明を適用できる。
【００５６】
本実施の形態の遊技機は、液晶パネルと、液晶パネルの背面側に設けられ液晶パネル用の照明手段から出射される光を液晶パネルへ導く導光板であって光の透過する光透過領域の形成された導光板を有する液晶表示装置と、液晶表示装置の背面側で光透過領域に対向する位置に配置され、複数の識別情報が配列されたリールを複数個並設した変動表示装置と、光透過領域のリール側の近傍に設けられた発光手段と、発光手段を駆動する駆動部と、駆動部を覆う保護部材であって、駆動部に対して所定の距離以上離間する外形を有する保護部材とを備えるため、冷陰極管の発電回路を外部からの接触や磁力から保護する遊技機を提供することができる。
【００５７】
また、本実施の形態の遊技機は、保護部材は、発光手段の発光部を覆い、発光部からの光を拡散させるように構成されるので、リール照明用としても機能する遊技機を提供することができる。
【００５８】
さらに、本実施の形態の遊技機は、前記保護部材は、前記発光部からの光を拡散させる形状に形成されるので、光を拡散してリールに照射し、遊技者に対してリールを明るく見せることができ、迫力の在る演出を提供することができる。
【００５９】
さらにまた、本実施の形態の遊技機は、前記保護部材は、前記発光部からの光を拡散させる材料で形成されるので、光を拡散してリールに照射し、上述と同等の効果を奏し、ソフトな感覚でリールを演出することができる。
【００６０】
なお、本発明の実施の形態に記載された、作用及び効果は、本発明から生じる好適な作用及び効果を列挙したに過ぎず、本発明による作用及び効果は、本発明の実施の形態に記載されたものに限定されるものではない。
【図面の簡単な説明】
【００６１】
【図１】本実施の形態のスロットマシンの正面斜視図。
【図２】リール上に配列された図柄の例を示す図。
【図３】液晶表示装置の分解斜視図。
【図４】リール表示窓近傍の分解斜視図。
【図５】インバータ基板の回路構成の一例を示すブロック図
【図６】冷陰極管および保護ケースの拡大主旨図および断面図。
【図７】本実施の形態の演出態様を示す図。
【符号の説明】
【００６２】
１…遊技機
３Ｌ、３Ｃ、３Ｒ…リール
４Ｌ、４Ｃ、４Ｒ…リール表示窓
６…スタートレバー
７Ｌ、７Ｃ、７Ｒ…リール停止ボタン
１１…１−ＢＥＴスイッチ
１２…２−ＢＥＴスイッチ
ｌ３…最大ＢＥＴスイッチ
２２…メダル投入口
２７…液晶表示装置
４０Ｌ、４０Ｃ、４０Ｒ…窓部
１７３…液晶パネル
１７６ａ（ｂ）…冷陰極管
１７４…導光板
２７６ａ（ｂ）…冷陰極管
２９０ａ（ｂ）…保護ケース
３００ａ（ｂ）…インバータ基板
【図１】
2004358206.tif 000003
【図２】
2004358206.tif 000004
【図３】
2004358206.tif 000005
【図４】
2004358206.tif 000006
【図５】
2004358206.tif 000007
【図６】
2004358206.tif 000008
【図７】
2004358206.tif 000009